(57)【要約】【課題】従来のトップカバーでは、竿先端部全体を収容し、汎用性を確保しようとすると、トップカバー全体が大きく不格好なものとなってしまう。【解決手段】観音開きで展開状態となる一対のカバーハーフ３の内側凹部に変形可能なクッション片を填装し、カバーハーフ３の縁４にスライダーファスナー１３を取付け、さらにカバーハーフ３を可撓性のある素材で形成する。トップカバー１に竿先端部を収容して閉じると、カバーハーフ３からの弾性的な押圧を利用して無理なく竿先端部全体を被包できる。【選択図】    図１
2012244958.tif 000002
【特許請求の範囲】
【請求項１】
基部に竿体取付具を有する釣竿のトップカバーにおいて、観音開きで展開状態となる一対のカバーハーフと、前記一対のカバーハーフの内側凹部にそれぞれ填装された変形可能なクッション片と、前記一対のカバーハーフの縁にそれぞれ設けられ、互いに閉じ合わされて前記内側凹部を閉鎖するファスナーとを備え、前記カバーハーフを可撓性のある素材で形成したことを特徴とする釣竿のトップカバー。
【請求項２】
請求項１に記載した釣竿のトップカバーにおいて、
一対のカバーハーフの内側凹部の先端側ではクッション片はオフセット配置されていることを特徴とする釣竿のトップカバー。
【請求項３】
請求項１または２に記載した釣竿のトップカバーにおいて、
クッション片はカバーハーフの内側凹部に着脱自在に填装されていることを特徴とする釣竿のトップカバー。
【発明の詳細な説明】
【技術分野】
【０００１】
本発明は、釣竿のトップカバーに関するものである。
【背景技術】
【０００２】
釣竿のトップカバーは、釣竿の種類に応じて従来から種々のものがある。そのうち左右に２分割されたタイプのトップカバーは振出し式の釣竿に用いると、穂先側が下を向くと竿管が遊動することから、特許文献１のトップカバーでは、一対のカバーハーフの内側凹部に変形可能な保護部材を填装し、そこに竿管と共に穂先側のガイドを完全に収容すると共に係止板より後側にくる元竿側ではガイドを外方に臨ませながら抱持固定することで、係止板との協働により竿管の遊動を阻止しガイドの曲げや破損を防止することが提案されている。
また特許文献２の様に、竿先部全体を収容してカバーする所謂フルカバータイプのトップカバーも提案されている。このトップカバーは、変形部材は填装せず、元竿部をベルト固定すると共に、内側面に突設した中竿保持受け座により、中竿を保持する事により元竿と中竿の２箇所で支承固定する事で、釣竿の折損を防止する様になっている。
【先行技術文献】
【特許文献】
【０００３】
【特許文献１】実開平１−１７２３６８号公報
【特許文献２】実開昭５３−１０２４８６号公報
【発明の概要】
【発明が解決しようとする課題】
【０００４】
而して、特許文献１のトップカバーでは、元竿側のガイドが外側に裸出してしまうので、何かに不用意に当たれば容易に破損してしまう。
また、特許文献２のトップカバーでは、変形部材が填装されておらず、竿や装着されるガイドに合わせて外形や中竿保持受け座を設定する必要があり、汎用性を持たせる事が極めて難しかった。また変形部材を填装し、保護機能を高めようとした場合、大型化してしまう欠点があった。
それ故、本発明は、竿先端部全体を収容してカバーするタイプのトップカバーであり、必要以上に大型化しないと共に、装着されるガイドの大きさ等が変化しても対応できる汎用性の高さを備え、保護機能にも優れるトップカバーを提供することを目的とする。
【課題を解決するための手段】
【０００５】
元竿側のガイドは、穂先側のガイドより大きいので、ただ単に保護機能を高める為に、穂先側を被包した変形可能な保護部材で元竿側も被包しようとすると、穂先側よりも保護部材であるクッション片の厚みをかなり増やすことになり、結果としてトップカバー全体が大きく不格好なものとなってしまう。さらに、元竿側のガイドどうしも大きさが異なるため、各ガイドに対応してクッション片の凹み度合いを調整して製作するとなると、非常に面倒であり、現実的ではない。
本発明者は、鋭意研究の結果、カバーを可撓性のある素材で形成し、ファスナーで閉じ合わせてカバーでクッション片を押圧することで、穂先側よりクッション片の厚みを減らしても、元竿側をクッション片で安定的に被包することができることを見出し、本発明を完成するに至った。
【０００６】
本発明の請求項１の発明は、基部に竿体取付具を有する釣竿のトップカバーにおいて、観音開きで展開状態となる一対のカバーハーフと、前記一対のカバーハーフの内側凹部にそれぞれ填装された変形可能なクッション片と、前記一対のカバーハーフの縁にそれぞれ設けられ、互いに閉じ合わされて前記内側凹部を閉鎖するファスナーとを備え、前記カバーハーフを可撓性のある素材で形成したことを特徴とする釣竿のトップカバーである。
【０００７】
請求項２の発明は、請求項１に記載した釣竿のトップカバーにおいて、一対のカバーハーフの内側凹部の先端側ではクッション片はオフセット配置されていることを特徴とする釣竿のトップカバーである。
【０００８】
請求項３の発明は、請求項１または２に記載した釣竿のトップカバーにおいて、クッション片はカバーハーフの内側凹部に着脱自在に填装されていることを特徴とする釣竿のトップカバーである。
【発明の効果】
【０００９】
本発明のトップカバーは竿先端部全体を収容してカバーできるタイプのものであり、コンパクトで製作が容易であり、十分な穂先保護機能を有すると共に汎用性が高い。
【図面の簡単な説明】
【００１０】
【図１】本発明の実施の形態に係るトップカバーの閉じた状態を示す斜視図である。
【図２】図１のトップカバーの側面図である。
【図３】図１のトップカバーの開いた状態を示す斜視図である。
【図４】図３のトップカバーを開いて釣竿の先端部を配置した状態を示す平面図である。
【図５】図１のトップカバーに竿先端部を収容する作業手順を説明する図である。
【図６】図１のトップカバーで竿先端部を収容したときの変形状態を説明する図である。
【図７】図６と同様に、図１のトップカバーで竿先端部を収容したときの変形状態を説明する図である。
【図８】図１のトップカバーでクッション片を着脱自在とした改変例を説明する図である。
【発明を実施するための形態】
【００１１】
本発明の実施の形態に係るトップカバー１を、図面にしたがって説明する。
図１、図２で符号３Ａ、３Ｂは一対のカバーハーフを示し、これら一対のカバーハーフ３Ａ、３Ｂは可撓性のある樹脂素材の一種であるＥＶＡで構成されており、中央の折曲部５をヒンジとして観音開きするようになっている。
各カバーハーフ３Ａ／３ＢはガイドＧを装着した竿先端部Ｓとその後側の元竿Ｍの形状に対応して外方に膨らんだ異径筒の半割状になっており、一対のカバーハーフ３Ａ、３Ｂどうしを閉じ合わせると、前側が竿先端部Ｓの収容部７を構成し、後側が元竿Ｍを受ける基部９を構成する。トップカバー１の前端は閉塞し、後端側の基部９には元竿Ｍを受ける受口１１が形成される。
【００１２】
カバーハーフ３Ａ／３Ｂの縁にはスライダーファスナー１３の務歯を備えたエレメント部１４が配置されており、スライダーの動きによってエレメント部１４が係合してカバーハーフ３Ａ、３Ｂどうしが閉じ合わされる。
図３に示すように、基部９の内側面には、元竿Ｍをしっかりと保持するために、クロロプレンゴムまたはＥＰＤＭなどの合成ゴムで構成された滑り止め用部材１５が張り合わされている。基部９の外側面には竿体取付具としての結着帯１７の一端が取り付けられている。結着帯１７の両端側には面ファスナーのループ側とフック側がそれぞれ添着されている。
結着帯１７の表面側は面ファスナーのループ面になっており、遊端側の裏面にはフック部が取り付けられている。
【００１３】
各カバーハーフ３Ａ／３Ｂの内側凹部には変形可能な発泡ポリエチレンで構成されたクッション片１９が填装され接着されている。カバーハーフ３Ａ／３Ｂに接する側のクッション片１９の形状はカバーハーフ３Ａ／３Ｂの内側凹部に対応した形状になっており、カバーハーフ３Ａ／３Ｂの内側凹部に埋め込まれた状態となっている。各カバーハーフ３Ａ／３Ｂに填装されたクッション片１９は中央の折曲部５で途切れて分離している。
【００１４】
クッション片１９の竿先端部Ｓを被包する側の形状は、カバーハーフ３Ａ側とカバーハーフ３Ｂ側とでは異なっている部分があるので、先ず、カバーハーフ３Ａ側で説明する。
収容される竿先端部Ｓの竿軸方向に沿って、クッション片１９は先端部１９Ｘ、中間部１９Ｙ、基部寄り部１９Ｚと区分されており、クッション片１９の中間部１９Ｙは、カバーハーフ３Ａの縁４と折曲部５とで画定される平面とほぼ面一状態で平らな上面を形成している。
【００１５】
クッション片１９の基部寄り部１９Ｚは、カバーハーフ３Ａの縁４と折曲部５に沿う部分を帯状に残して凹んでおり、その凹み２１により中間部１９Ｙとの境界部分ではほぼ垂直な段差壁２３が形成されている。この段差壁２３は上方から見て中央で屈折した浅いＶ字状を為しており、中央の屈折部は基部側に寄っている。
クッション片１９の先端部１９Ｘは、カバーハーフ３Ａの縁４と折曲部５を超えて隆起しており、その隆起部２５により先端部１９Ｘと中間部１９Ｙとの境界部分ではほぼ垂直な段差壁２７が形成されている。この段差壁２７は上方から見て中央で切頭された山状を為しており、中央の切頭部は先端側に寄っている。
上記したように、クッション片１９は竿軸方向に先端部１９Ｘ、中間部１９Ｙ、基部寄り部１９Ｚと連続しており、その境界部分で段差壁２３、２７が形成されている。
【００１６】
カバーハーフ３Ｂ側でも、収容される竿先端部の竿軸方向に中間部１９Ｙ、基部寄り部１９Ｚと連続しており、中間部１９Ｙと基部寄り部１９Ｚはカバーハーフ３Ａ側に填装されたクッション片１９の中間部１９Ｙと基部寄り部１９Ｚと同じ構成になっており、その境界部分で段差壁２３が形成されている。
一方、カバーハーフ３Ｂ側では、カバーハーフ３Ａ側の先端部１９Ｘに対応する位置にはクッション片１９が欠落しており、カバーハーフ３Ｂの内側凹部の形状がそのまま裸出している。そして、中間部１９Ｙとの境界部分には段差壁２９が形成されている。カバーハーフ３Ａに填装された先端部１９Ｘの隆起部２５はこの裸出した内側凹部と凹凸関係にあり、クッション片１９がカバーハーフ３Ａ側にオフセット配置された状態になっている。
【００１７】
カバーハーフ３Ａとカバーハーフ３Ｂとを折曲部５を境に折り曲げて閉じ合わせると、カバーハーフ３Ａに填装されたクッション片１９Ｘ／１９Ｙ／１９Ｚとカバーハーフ３Ｂに填装されたクッション片１９Ｙ／１９Ｚとが向かい合う。
カバーハーフ３Ａ側の中間部１９Ｙとカバーハーフ３Ｂ側の中間部１９Ｙとは接触して所謂パーティングラインを形成し、カバーハーフ３Ａ側の基部寄り部１９Ｚとカバーハーフ３Ｂ側の基部寄り部１９Ｚは凹み２１があるので中央に元竿側を収容するのに十分な空洞が形成される。カバーハーフ３Ａ側の段差壁２３とカバーハーフ３Ｂ側の段差壁２３は連続しており、その境界には段差は殆ど形成されない。
カバーハーフ３Ａ側の先端部１９Ｘは、カバーハーフ３Ｂの内側凹部に入り込み、カバーハーフ３Ａ側の段差壁２７とカバーハーフ３Ｂ側の段差壁２９は重なり合っている。
【００１８】
釣竿の先端部を収容する場合には、図４に示すように、元竿Ｍを基部９で受け、竿先端部Ｓのうち、穂先側のガイド付き竿管Ｓ１を中間部１９Ｙで受け、元竿側のガイド付き竿管Ｓ２をカバーハーフ３に填装されたクッション片１９の基部寄り部１９Ｚで受けることになる。
【００１９】
上記した構成のトップカバー１に竿先端部Ｓを収容する場合には、図５に示すように、カバーハーフ３Ａ側で竿先端部Ｓと元竿Ｍを受け止めさせて位置決めしてから、カバーハーフ３Ｂを閉じ合わせ、スライダーファスナー１３で係合閉塞すると共に、基部９では結着帯１７を巻き回して面ファスナーで係合固定する。
【００２０】
トップカバー１に竿先端部Ｓを収容して閉じると、図６に示すように、カバーハーフ３Ａ側の中間部１９Ｙとカバーハーフ３Ｂ側の中間部１９Ｙは変形により中央で穂先側のガイド付き竿管Ｓ１を被包した状態となっている。元竿側でもカバーハーフ３Ａ側の基部寄り部１９Ｚとカバーハーフ３Ｂ側の基部寄り部１９Ｚにより画定された空洞内において元竿側のガイド付き竿管Ｓ２は、カバーハーフ３Ａ／３Ｂからの弾性的な押圧を利用して無理なく被包できている。
トップカバー１の先端部では、内部がカバーハーフ３Ａに填装された先端部１９Ｘだけで隙間無く埋め込まれているので、穂先側の竿管に伸長方向への力が掛かっても段差壁２７に押されるので遊動しない。基部寄り部１９Ｚのように竿軸方向にパーティングラインが形成されていると、竿管がパーティングラインの間を徐々に拡げるので、穂先側の竿管に伸長方向への力が繰り返し掛かると長期的には遊動領域が形成され易いが、上記したようにこの実施の形態では竿管の遊動方向にはパーティングラインが無く垂直の段差壁２７が立ちはだかっているので、上記のような不都合も無い。
【００２１】
また、トップカバー１に竿先端部Ｓを収容して閉じたときには、図７に示すように、カバー３は外方に膨らむが、その分だけファスナー１３側が収縮するので、カバー３に無理な負荷が掛かることはない。
【００２２】
上記の実施の形態では、クッション片１９はカバーハーフ３Ａ／３Ｂに固定されているが、図８に示すように、クッション片１９側とカバーハーフ３Ａ／３Ｂ側に面ファスナー３１のループ側３３とフック側３５を取付けて、着脱自在にしてもよい。
このように構成すれば、クッション片１９が汚れた場合には取り外して洗浄できる。また、長期使用により、クッション片１９の凹んだ状態への永久変形が進行した場合には、クッション片１９を交換することができる。
【００２３】
以上、本発明の実施の形態を説明したが、本発明の具体的構成が上記の実施の形態に限定されるものではなく、本発明の要旨から外れない範囲での設計変更があっても本発明に含まれる。
例えば、上記の実施の形態では、カバーハーフ３Ｂ側の先端部ではクッション片１９が完全に欠落しているが、クッション片１９を薄く設けてもよい。
いずれにしても、特許請求されている形状等を除いては、従来からあるまたは将来案出される形状や製造を任意に組み合わせることができる。
【産業上の利用可能性】
【００２４】
本発明に係るトップカバーによれば、竿先端部全体を収容してカバーできるタイプでありながらコンパクトで製作が容易であり、十分な穂先保護機能を有すると共に汎用性が高い。
【符号の説明】
【００２５】
１‥‥トップカバー
３‥‥カバー
３Ａ、３Ｂ‥‥カバーハーフ          ４‥‥縁
５‥‥折曲部                        ７‥‥収容部
９‥‥基部                        １１‥‥受口
１３‥‥スライダーファスナー        １４‥‥エレメント部
１５‥‥滑り止め用部材                １７‥‥結着帯
１９‥‥クッション片
１９Ｘ‥‥先端部      １９Ｙ‥‥中間部      １９Ｚ‥‥基部寄り部
２１‥‥凹み                        ２３‥‥段差壁
２５‥‥隆起部                      ２７‥‥段差壁
２９‥‥段差壁                      ３１‥‥面ファスナー
３３‥‥ループ側                    ３５‥‥フック側
Ｓ‥‥竿先端部                    Ｓ１‥‥穂先側のガイド付き竿管
Ｓ２‥‥元竿側のガイド付き竿管        Ｍ‥‥元竿
【図１】
2012244958.tif 000003
【図２】
2012244958.tif 000004
【図３】
2012244958.tif 000005
【図４】
2012244958.tif 000006
【図５】
2012244958.tif 000007
【図６】
2012244958.tif 000008
【図７】
2012244958.tif 000009
【図８】
2012244958.tif 000010